(57)【要約】      （修正有）【課題】月明かりは周期が約２９日半で毎日の月出没、方位、高度、照射等異なった月の表情で夜の雰囲気を変えている。月の月齢に対応した照明の光りで場所に適した夜の雰囲気を作製する月齢対応型照明機器を提供する。【解決手段】照明機器において、相対する２つの面がある筒状の照明灯ユニット１に所定の照射光の波長の色が異なる複数個の照明を装備し、前記各々の照射光の色が異なる照明は１つの面にある各々の円形照射レンズ２を通して照射発散され、前記照射発散された各照射光は筐体の外郭を構成する色合成照射レンズ４の共通の照射範囲に照射され各色の照射光が重畳する。前記各色の照射光を前記色合成照射レンズ４で光りの色を散乱し合成するとともに照射光の色と照度を月齢の値に対応して各色の照射光の組合せの選択、各色の消費電力による色合成の比率等の制御を自動調整することにより屋内外の各々の場所に最適な照明の光りを提供する。【選択図】  図３
2005174941.tif 000002
【特許請求の範囲】
【請求項１】
照明機器において、所定の照射光の波長の色が異なる複数個の照明灯を取付ける取付手段と、前記複数個の照明灯は相対する２つの面がある筒状の筐体の筐体内に構成するとともに前記筐体の１つの面には照明灯の照明部分から享受する光を円形状に照射発散する無色の球面状の透明体を前記所定の照射光の波長の色が異なる複数個の各照明灯の照明部分に構成する手段と、前記複数個の球面状の透明体は前記球面状の透明体から発散する光の照射がこの照明機器の筐体の外郭を構成する反射手段に予め定められた共通の範囲に重畳するように構成し前記反射手段は前記球面状の透明体から照射される光の色を散乱し合成するとともに合成した光を筐体外に照射発散することができる手段と、前記照射光の波長の色が異なる所定の複数個の照明灯の組合せの選択を制御する制御手段と、年、月、日、時間を演算する演算手段と、前記年、月、日、時間に対応した月齢の所定のデータを記憶する記憶手段と、前記月齢の所定のデータを照合する照合手段とを具備し、照明機器の電源を入れたときは前記照合した結果に基づいて複数個の照明灯の組合せを選択して照射光の色を自動調整し合成された光が筐体外の空間に照射発散することを特徴とする月齢対応型照明機器。
【請求項２】
照明機器において、所定の照射光の波長の色が同色の複数個の照明灯を取付ける取付手段と、前記複数個の照明灯は相対する２つの面がある筒状の筐体の筐体内に構成するとともに前記筐体の１つの面には照明灯の照明部分から享受する光を円形状に照射発散する所定の波長の色が異なる有色の球面状の透明体を前記所定の照射光の波長の色が同色の複数個の各照明灯の照明部分に構成する手段と、前記複数個の球面状の透明体は前記球面状の透明体から発散する光の照射がこの照明機器の筐体の外郭を構成する反射手段に予め定められた共通の範囲に重畳するように構成し前記反射手段は前記球面状の透明体から照射される光の色を散乱し合成するとともに合成した光を筐体外に照射発散することができる手段と、前記照射光の波長の色が同色の所定の複数個の照明灯の組合せの選択を制御する制御手段と、年、月、日、時間を演算する演算手段と、前記年、月、日、時間に対応した月齢の所定のデータを記憶する記憶手段と、前記月齢の所定のデータを照合する照合手段とを具備し、照明機器の電源を入れたときは前記照合した結果に基づいて複数個の照明灯の組合せを選択して照射光の色を自動調整し合成された光が筐体外の空間に照射発散することを特徴とする月齢対応型照明機器。
【請求項３】
請求項１または請求項２において、光を円形状に照射発散する球面状の透明体に代えて長方形状に光を照射発散することができる長方形状の球面の透明体であることを特徴とする月齢対応型照明機器。
【請求項４】
請求項１または請求項２または請求項３において、さらに各照明灯の消費電力を制御する制御手段を具備し、前記照明灯の消費電力の増減を制御することによって、各照明灯の照度を変えられることにより、照明機器の電源を入れたときは年、月、日、時間に対応した月齢の所定のデータを照合した結果に基づいて各照明灯の消費電力を制御し、各照明灯の照射光の照度の変化量により筐体外に照射発散する照明の光の波長の色と照度を自動調整することを特徴とする月齢対応型照明機器。
【請求項５】
請求項１及至４のいずれかの１つの請求項に記載の月齢対応型照明機器において、さらに無線の電波を受信する受信手段と、前記受信した年、月、日、時間のデータの電波による時間設定から月齢の所定のデータを照合する照合手段とを具備していることを特徴とする月齢対応型照明機器。
【請求項６】
請求項１または請求項２または請求項３において、相対する２つの面がある筒状の筐体内に複数個の照明灯を用いて照射発散する光の波長の色は、白色、赤色、青色、緑色、黄色を照射発散する５色のいずれかの２色以上の照明を１つの面に各々配置する構成によって、照射光の色を合成するようにしていることを特徴とする月齢対応型照明機器。
【請求項７】
請求項５において、電波によって送信されてくるデータにさらに現地の気象のデータを受信する受信手段と、前記受信した気象のデータを照合する照合手段とを具備し、前記気象のデータを照合した結果に基づいて各照明灯の消費電力の増減の制御を実施することを特徴とする月齢対応型照明機器。
【請求項８】
請求項１及至７のいずれかの１つの請求項に記載の月齢対応型照明機器において、さらに月齢の値と月の満ち欠けと名称の状態の画面表示と照明灯の選択と消費電力の状態を表示する表示手段と、年、月、日、時間のデータ、年、月、日、時間の月齢の値における各照明灯の選択と各照明灯の消費電力の設定、気象による各照明灯の前記月齢の値を基準値とした消費電力の変化量の設定を操作することができる操作手段とを具備し、前記設定に基づいて照射光の自動制御が実施することができ、表示手段の表示画面とスピーカにより月齢の状態と月の満ち欠けと名称の状態を絵と文字と音声を用いて出力し、各照明灯の選択と消費電力の状態の画面を表示することを特徴とする月齢対応型照明機器。
【発明の詳細な説明】
【技術分野】
【０００１】
本発明は、月の月齢に正確に対応して、照明機器の照明の照度、色、消費電力等を制御し場所に適した波長の光を提供することができる月齢対応型照明機器に関するものである。
【背景技術】
【０００２】
建物内に用いられる照明灯には、蛍光灯、白熱球等があるが、常に単色であり、いつも同じ雰囲気の波長の光りを提供している。そして、インテリアとしては、蛍光灯と白熱球等を用いる用途を分けて利用することが多く、インテリアのデザインも用いる照明灯によって決められてしまうことが多い。
【０００３】
建物外に用いられる照明灯には、蛍光灯、白熱球、ＬＥＤ等があるが、常に単色であり、いつも同じ雰囲気の波長の光りを提供している。そして、インテリアとしては、蛍光灯、白熱球、ＬＥＤ等を用いる用途を分けて利用することが多く、インテリアのデザインは用いる照明灯によって決められてしまうことが多い。
【発明の開示】
【発明が解決しようとする課題】
【０００４】
月の月齢に正確に対応して、建物内、建物外等の場所に適した波長の光りの明りを効果的に照射発散することができる照明機器。
【課題を解決するための手段】
【０００５】
上記の課題を解決するために、請求項１に記載の発明は、照明機器において、所定の照射光の波長の色が異なる複数個の照明灯を取付ける取付手段と、前記複数個の照明灯は相対する２つの面がある筒状の筐体の筐体内に構成するとともに前記筐体の１つの面には照明灯の照明部分から享受する光を円形状に照射発散する無色の球面状の透明体を前記所定の照射光の波長の色が異なる複数個の各照明灯の照明部分に構成する手段と、前記複数個の球面状の透明体は前記球面状の透明体から発散する光の照射がこの照明機器の筐体の外郭を構成する反射手段に予め定められた共通の範囲に重畳するように構成し前記反射手段は前記球面状の透明体から照射される光の色を散乱し合成するとともに合成した光を筐体外に照射発散することができる手段と、前記照射光の波長の色が異なる所定の複数個の照明灯の組合せの選択を制御する制御手段と、年、月、日、時間を演算する演算手段と、前記年、月、日、時間に対応した月齢の所定のデータを記憶する記憶手段と、前記月齢の所定のデータを照合する照合手段とを具備し、照明機器の電源を入れたときは前記照合した結果に基づいて複数個の照明灯の組合せを選択して照射光の色を自動調整し合成された光が筐体外の空間に照射発散することを特徴としているものである。
【０００６】
請求項２に記載の発明は、照明機器において、所定の照射光の波長の色が同色の複数個の照明灯を取付ける取付手段と、前記複数個の照明灯は相対する２つの面がある筒状の筐体の筐体内に構成するとともに前記筐体の１つの面には照明灯の照明部分から享受する光を円形状に照射発散する所定の波長の色が異なる有色の球面状の透明体を前記所定の照射光の波長の色が同色の複数個の照明灯の各照明部分に構成する手段と、前記複数個の球面状の透明体は前記球面状の透明体から発散する光の照射がこの照明機器の筐体の外郭を構成する反射手段に予め定められた共通の範囲に重畳するように構成し前記反射手段は前記球面状の透明体から照射される光の色を散乱し合成するとともに合成した光を筐体外に照射発散することができる手段と、前記照射光の波長の色が同色の所定の複数個の照明灯の組合せの選択を制御する制御手段と、年、月、日、時間を演算する演算手段と、前記年、月、日、時間に対応した月齢の所定のデータを記憶する記憶手段と、前記月齢の所定のデータを照合する照合手段とを具備し、照明機器の電源を入れたときは前記照合した結果に基づいて複数個の照明灯の組合せを選択して照射光の色を自動調整し合成された光が筐体外の空間に照射発散することを特徴としているものである。
【０００７】
請求項３に記載の発明は、請求項１または請求項２において、光を円形状に照射発散する球面状の透明体に代えて長方形状に光を照射発散することができる長方形状の球面の透明体であることを特徴としているものである。
【０００８】
請求項４に記載の発明は、請求項１または請求項２または請求項３において、さらに各照明灯の消費電力を制御する制御手段を具備し、前記照明灯の消費電力の増減を制御することによって、各照明灯の照度を変えられることにより、照明機器の電源を入れたときは年、月、日、時間に対応した月齢の所定のデータを照合した結果に基づいて各照明灯の消費電力を制御し、各照明灯の照射光の照度の変化量により筐体外に照射発散する照明の光の波長の色と照度を自動調整することを特徴としているものである。
【０００９】
請求項５に記載の発明は、請求項１及至４のいずれかの１つの請求項に記載の月齢対応型照明機器において、さらに無線の電波を受信する受信手段と、前記受信した年、月、日、時間のデータの電波による時間設定から月齢の所定のデータを照合する照合手段とを具備していることを特徴としているものである。
【００１０】
請求項６に記載の発明は、請求項１または請求項２または請求項３において、相対する２つの面がある筒状の筐体内に複数個の照明灯を用いて照射発散する光の波長の色は、白色、赤色、青色、緑色、黄色を照射発散する５色のいずれかの２色以上の照明を１つの面に各々配置する構成によって、照射光の色を合成するようにしていることを特徴としているものである。
【００１１】
請求項７に記載の発明は、請求項５において、電波によって送信されてくるデータにさらに現地の気象のデータを受信する受信手段と、前記受信した気象のデータを照合する照合手段とを具備し、前記気象のデータを照合した結果に基づいて各照明灯の消費電力の増減の制御を実施することを特徴としているものである。
【００１２】
請求項８に記載の発明は、請求項１及至７のいずれかの１つの請求項に記載の月齢対応型照明機器において、さらに月齢の値と月の満ち欠けと名称の状態の画面表示と照明灯の選択と消費電力の状態を表示する表示手段と、年、月、日、時間のデータ、年、月、日、時間の月齢の値における各照明灯の選択と各照明灯の消費電力の設定、気象による各照明灯の前記月齢の値を基準値とした消費電力の変化量の設定を操作することができる操作手段とを具備し、前記設定に基づいて照射光の自動制御が実施することができ、表示手段の表示画面とスピーカにより月齢の状態と月の満ち欠けと名称の状態を絵と文字と音声を用いて出力し、各照明灯の選択と消費電力の状態の画面を表示することを特徴としているものである。
【発明の効果】
【００１３】
夜の月の波長の光を取入れるようになっている建物内では、月齢対応型照明機器によって、毎日が設定した条件に従って雰囲気が異なった照明の合成された光りの明りで月明りとともに生活ができる。例えば、レストラン等のサービス業では、お客様にその日に最も適した波長の光の明りを提供することができる。
【００１４】
建物外では、月齢対応型照明機器によって、毎日が異なる夜の月明りを考慮した最適な照明の合成された波長の光の明りを提供できることによって、犯罪等の事件を防止することができる。
【００１５】
建物内外問わず、月明りを有効に活用することによって、月齢に応じて最適な照明の合成された波長の光が提供できることによって、消費電力を抑えることができるとともにエネルギーの節約をすることができる。
【００１６】
四季折々の月齢に対応していることにより、春は新緑の緑色（少し青色を入れる等も良い）、夏は涼しくしてくれそうな青色（少し緑色を入れる等良い）、秋は紅葉の雰囲気を醸し出すような黄色（少し赤色を入れる等も良い）、冬は温かみを感じさせる赤色（少し黄色を入れる等も良い）を白色と合成する等の制御の構成により、四季折々の雰囲気を月の月齢に同期して四季感を演出することができるとともに四季折々に適した心身のリラックス効果が合成された波長の光の演出で実現できる。
【００１７】
月齢に対応して、様々な光りの照明ができることにより、照明機器のインテリア等のデザインが束縛されない手段が実現できる。
【発明を実施するための最良の形態】
【００１８】
本発明の実施例について説明する。始めに図１の照明灯ユニットと円形照射レンズの構成を示す斜視図と図２の照明灯ユニットと長方形照射レンズの構成を示す斜視図を用いて説明する。図１の照明ユニット１は筒状の円筒形の筐体に各色の白色、赤色、青色、緑色、黄色の波長の異なる光の５色を個々に照射発散できるものを円筒形の１面に備えたものであり、照明ユニット１の照明灯の照明部分に予め前記各色を着色したものまたは照明灯の照明部分を共通の白色（透明色含む）に対応して球面状の円形照射レンズ２は透明色（白色含む）または前記各色を着色したものを用いるようになっている。照明ユニット１内部は各照明灯の光が干渉しないように各照明灯分の隔壁で仕切られ照明部分の周囲は反射鏡等で円形照射レンズ２に光を集光するようになっている。照明ユニット１には化学合成樹脂、金属等の光の透過性の無いものを用い構成し、円形照射レンズ２は化学合成樹脂、ガラス等の光の透過性の有るものを用い構成する。照明灯は、蛍光灯、白熱球、ＬＥＤ、ハロゲンランプ、キセノンランプ等を用いると良い。前記筒状の円筒形は四角形でも良い。
【００１９】
円形照射レンズ２は中央に配置されている白色の光を照射発散するレンズの照射範囲に、周りに配置されている赤色、青色、緑色、黄色の光を照射発散するレンズの４色の照射範囲が各々重畳し一致するように取付位置、方向、傾き、照射距離等が予め設定されている。照射範囲の形状は照射レンズの形状で決定するようになっている。この場合の形状は円形照射レンズ２なので、円形状に光が照射発散されるようになっている。図２は照射レンズが球面状の長方形照射レンズ３になっており、長方形状に照射発散されるようになっている。この照射レンズで様々な形の形状を多種多様に対応できることにより、多種多様のインテリアや用途に対応できるようになっている。
【００２０】
次に図３の図１を構成する実施例の側面透視図、図４の図１を構成する実施例の正面透視図、図５の図２を構成する実施例の側面透視図、図６の図２を構成する実施例の正面透視図を用いて本発明の月齢対応型照明機器の構成及び仕様について説明する。図３と図４は円形照射レンズ２を構成する側面透視図と正面透視図である。円形照射レンズ２は円形状に光を照射発散するようになっているので、照明灯からの色が着色された光を色合成照射レンズ４は円形照射レンズ２より円形で大きい表面積のレンズで享受するようになっている。各色は中央に配置された白色の照射範囲に重畳するように色合成照射レンズ４と円形照射レンズ２の照射距離は予め設定されている。前記照射距離が変わると照射範囲にズレを生じるので照射距離が変わらないように固定するようになっている。
【００２１】
各色の円形照射レンズ２から照射された光は色合成照射レンズ４で予め定められた照射範囲で享受し光の色が合成されるようになっている。前記照射範囲では光の散乱現象が起こるように光の屈折、反射等を施した色合成照射レンズ４によって合成された光は本発明の月齢対応型照明機器筐体外に合成された光がレンズ効果等により照射発散するようになっている。円形照射レンズ２から照射される光の色合成照射レンズ４の照射範囲外は光が照射されても光が通過できないように加工が施されている。本発明は、この合成する光の５色の組合せを最適にすることにより月齢に同期して四季折々の最適な光が提供できるようになっている。
【００２２】
したがって、建物内、建物外において、月明かりの自然の光の有効利用を考えている場合は四季折々の気温や湿度等における月明かりの光と調和する合成された光を提供することが簡易に可能になるとともに、月の光が享受できない建物内、建物外においても四季折々に適して合成された光で四季感が演出できるとともにこれによってリラックス等ができることが可能となる。例えば季節が夏の場合で月齢が０の新月の場合は照明の光の白色と緑色の合成された白緑色の光で明るい中での少しの涼しさの演出、月齢が１５の満月の場合は照明の光の白色と青色の合成された白青色の光で少し明るい中での涼しさの演出、季節が冬の場合で月齢が０の新月の場合は照明の光の白色と赤色の合成された白赤色の光で明るい中での少し暑さを感じる暖かさの演出、月齢が１５の満月の場合は照明の光の白色と黄色の合成された白黄色の光でとても明るい中での暖かさの演出等が光を合成した色の照明の光で様々に可能となる。
【００２３】
この月齢対応型照明機器の構成は、各色の白色、赤色、青色、緑色、黄色の光が単独で照射できるように照明灯が５本収納されている照明ユニット１、照明ユニット１の照明灯の光を享受してさらに色合成照射レンズ４に円形状に各色が共通の範囲に照射発散することができる照明灯ユニット１の各照明灯に光の色に対応して各色の色が施されているものまたは全て透明の色が施されている円形照射レンズ２、円形照射レンズ２から各色の色の光を享受して各色の選択され照射された照明の波長の色、照度等に対応して光の色を合成し筐体外部の空間に合成した光を照射発散することができるとともに筐体の一部になっている色合成照射レンズ４、電気系統を制御する無線受信部、画像処理部、音声処理部、判断部、入出力部、ＣＰＵ部、記憶部等を構成する制御ユニット５、前記無線受信部でデータを受信する受信アンテナ６、前記画像処理部で処理し月の状態、月齢、月の名称等を表示画面に出力するＬＥＤパネル、液晶パネル等の表示装置（モニタ）７、表示画面、音声、各種設定等の操作をすることができる操作部８、前記音声処理部で処理し月の状態、月齢、月の名称等をスピーカで音声として出力する表示装置（スピーカ）９、これら電気系統に電源を供給する電源部１０から本発明はなっている。
【００２４】
図５と図６は長方形照射レンズ３を構成する側面透視図と正面透視図である。長方形照射レンズ３は長方形状に光を照射発散するようになっているので、照明灯からの色が着色された光を色合成照射レンズ４は長方形照射レンズ３より長方形で大きい表面積のレンズで享受するようになっている。各色は中央に配置された白色の照射範囲に重畳するように色合成照射レンズ４と長方形照射レンズ３の照射距離は予め設定されている。前記照射距離が変わると照射範囲にズレを生じるので照射距離が変わらないように固定するようになっている。
【００２５】
各色の長方形照射レンズ３から照射された光は色合成照射レンズ４で予め定められた照射範囲で享受し光の色が合成されるようになっている。前記照射範囲では光の散乱現象が起こるように光の屈折、反射等を施した色合成照射レンズ４によって合成された光は本発明の月齢対応型照明機器筐体外に合成された光がレンズ効果等により照射発散するようになっている。この合成する光の５色の組合せを最適にすることにより月齢に同期して四季折々の最適な光が提供できるようになっている。長方形照射レンズ３から照射される光の色合成照射レンズ４の照射範囲外は光が照射されても光が通過できないように加工が施されている。この他は円形照射レンズ２で上記に説明したものと同じなので省略する。
【００２６】
次に本発明の電気制御の説明を図７の制御の構成ブロック図と図８の制御のフローチャート図と図９の気象設定付の制御のフローチャート図を用いて説明する。始めに図７の制御の構成ブロック図について説明する。本制御には、先に説明した図３、図４、図５、図６で記述している受信アンテナ６、表示装置（モニタ）７、操作部８、表示装置（スピーカ）９、電源部１０を構成し、照明ユニット１の内部は光の漏れが発生しない隔壁で仕切られた構造に照明灯（白色）１３、照明灯（赤色）１４、照明灯（青色）１５、照明灯（緑色）１６、照明灯（黄色）１７とを構成し、前記構成したこれらを制御する制御ユニット５からなっている。前記制御ユニット５には画像処理部、音声処理部、判断部、入出力部、ＣＰＵ部等を構成する制御部１１、制御を処理するためのＲＯＭ、ＲＡＭ等の記憶部１２、受信アンテナ６から受信データの電波を受信処理する無線装置１８とを構成し制御するようになっている。
【００２７】
照明灯ユニット１に構成される照明灯（白色）１３、照明灯（赤色）１４、照明灯（青色）１５、照明灯（緑色）１６、照明灯（黄色）１７の５色の組合せは年、月日、時間の月齢の値に合わせて設定を選択するようになっている。前記５色の照明灯の選択はＣＰＵで判断するようになっており、操作部８に自動選択と手動選択があり自動選択の場合は年、月、日、時間の月齢の値に合わせた適切な合成色の光が照射発散されるように予めＲＯＭ等の記憶部１２に記憶されている光の合成色が照射発散するようになっている。手動選択の場合は任意に年、月、日、時間の月齢の値に合わせた光の合成色をＲＡＭ等の記憶部１２に記憶させることにより、使用者個人の設定による光の合成色を作製できることが可能となっている。選択としては自動選択が始めに優先されるようになっている。
【００２８】
また、本発明では無線装置１８の受信アンテナ６からの受信電波によって、年、月、日、時間を受信できる機能を装備していた場合は、自動で前記受信電波により年、月、日、時間を自動設定するとともにＣＰＵで演算処理されて算出される年、月、日、時間に対応してＲＯＭ等の記憶部１２に記憶している月齢の値のデータは１００年分のデータの月齢の値または月齢の計算等で月齢の周期の約０〜２９．５までの値が導かされるようになっている。前記無線装置１８が装備されていない場合は操作部８から年、月、日、時間を入力設定するようになっている。前記双方どちらかで年、月、日、時間が設定されるとタイマーとなり時間を刻むようになる。前記時間が新しく保持更新されると保持更新された時間に対応して月齢の値が導かされるとともに前記月齢の値は保持更新され、前記月齢の値に対応して照明灯の各種設定も保持更新されるようになっている。そして、本発明のスイッチを入れた場合は保持更新されている年、月、日、時間と月齢の値に基づいて保持更新している照明灯の各種設定に従って前記照明灯が点灯するようになっている。また、無線装置１８と受信アンテナ６を装備している場合において、基本的には年、月、日、時間の月齢に対応した照明であるが、建物内、建物外において月明りを効果的に利用するようにしている場合には、前記月齢に対応した照明の光を基本に微妙な光の変化のバイアスを付加することが可能になっている。受信電波のデータの中に気象の天気の晴れ、曇り、雨、雪等のデータが付加されたものを受信し、前記天気の晴れ、曇り、雨、雪等により月明りの雰囲気が微妙に変化することを考慮した照明制御によって、月明かりの雰囲気の変化に対応することができるようになっている。
【００２９】
照明灯ユニット１に構成される照明灯（白色）１３、照明灯（赤色）１４、照明灯（青色）１５、照明灯（緑色）１６、照明灯（黄色）１７の５色で照射発散できる合成色の光りは、１色組合せは５通り、２組合せは１０通り、３色組合せは１０通り、４色組合せは５通り、５色組合せは１通りの組合せの選択数が有り、前記各照明灯の消費電力０％〜１００％を電流制限回路、リレー回路等とプログラム等のハードとソフトで制御することによって照度を変更することにより、各照明灯の消費電力の設定で数万通りの合成色の光を照射発散することができるようになっている。消費電力を制御できる照明灯には白熱球、ＬＥＤ、ハロゲンランプ等がある。
【００３０】
前記照明灯から照射発散される光は色合成照射レンズ４によって光の合成色が筐体外に照射発散されるようになっていることから建物内、建物外等の場所に合わせた合成色の光を四季折々の月齢に合わせて月明かりと調和できることを可能としている。また、自然の月明かりの無い建物内でも年、月、日、時間に合わせた月齢により、四季折々の月齢に適合している合成色の光を建物内の空間に提供することが可能となっている。
【００３１】
次に図８の制御のフローチャート図について説明する。電源供給元にコンセント等で電源部１０に電源を供給するようにしたならば、照明ユニット１の内部に装備されている照明灯（白色）１３、照明灯（赤色）１４、照明灯（青色）１５、照明灯（緑色）、照明灯（黄色）１７の各照明灯は点灯しないが、制御ユニット５内部では制御部１１、記憶部１２、無線装置１８では動作を開始しシステムの初期化を実施して初期設定（Ｓ１０１）を実施するようになっている。そして、表示装置（モニタ）７、表示装置（スピーカ）９、操作部８が使用できるようになる。そして、表示装置（モニタ）７と操作部８を操作することによって各照明灯に関する各種設定ができるようになる。
【００３２】
装備として無線受信装置を装備しているか？（Ｓ１０２）を自動で判断し、次に年、月、日、時間の設定を自動または手動か？（Ｓ１０３）の判断を選択するようになっている。受信アンテナ６と受信装置１８を装備している場合は自動で年、月、日、時間のデータの設定（Ｓ１０４）を年、月、日、時間のデータを電波によって受信した場合は記憶部１２のＲＡＭ等に記憶することができるようになっている。前記電波を用いない場合は手動で年、月、日、時間のデータを設定（Ｓ１０５）するようになっている。そして、年、月、日、時間の設定が完了したならばタイマーとなり時間を刻むように動作を開始（Ｓ１０６）するようになっている。前記双方のどちらかの手段で年、月、日、時間の設定が完了したならば、１月から１２月までの年間を通じての月齢に対応した各色の照明灯の選択・消費電力等の設定をＣＰＵに任せる自動設定または使用者本人が任意に設定ができる手動設定か？（Ｓ１０７）を使用者が選択するようになっている。使用者が自動設定を選択したならば、使用用途別に年、月、日、時間と月齢の値に対応して最適な各色の照明灯の選択と消費電力の設定が予め記憶部１２のＲＯＭ等に記憶されているので、前記記憶部１２に記憶されているデータに従って各照明灯の選択の自動設定（Ｓ１０８）と各照明灯の消費電力の自動設定（Ｓ１０９）を年、月、日、時間に基づいた月齢に対応するようになっている。前記手動設定を選択した場合は、１月から１２月までを月齢に合わせて各照明灯の選択の手動設定（Ｓ１１０）と各照明灯の消費電力の手動設定（Ｓ１１１）を任意に選択及び設定しＲＡＭ等の記憶部１２に記憶するようになっている。前記の年、月、日、時間に対応した月齢の値のデータは１００年分のデータの月齢の値または月齢の計算等で月齢の約０〜２９．５までの値を導くように予めＲＯＭ等の記憶部１２に月齢の値や月齢の値を導き出す計算式を記憶させているが、受信装置１８と受信アンテナ６を用いて月齢データを電波で受信できるようにしても良い。この他の設定として、設置している場所も選択するようにすると北は北海道から南は沖縄まで日本全国の月齢の値の誤差を補正することが可能である。年、月、日、時間と月齢における各色の照明灯の選択と消費電力の設定が完了したならばタイマーによる時間に基づく月齢の値に対応して照明灯の各種設定が記憶部１２に保持更新されるようになっている。また、この他、各照明灯の選択と消費電力の設定の簡易手段として、春、夏、秋、冬の四季の期間別における月齢の値に対応した各色の照明灯の選択と消費電力を自動設定または手動設定することも可能である。
【００３３】
前記の年、月、日、時間の設定が自動設定または手動設定によって完了したならば、後はＣＰＵの演算処理によるタイマー機能を用いて時間を更新するようになり前記の年、月、日、時間が新しく更新されるとともに月齢の値のデータも対応して更新され前記更新された月齢の値のデータに対応して照明ユニット１内部の各照明灯の選択と消費電力の設定が更新され設定に従って合成された光が照射発散するようにタイマーの年、月、日、時間と月齢の値のデータとの照合を開始（Ｓ１１２）するようになっている。そして、常に前記の年、月、日、時間に対応する月齢の値において各色の照明灯の選択と消費電力の設定の保持更新（Ｓ１１３）が電源部１０に電源が供給されている間は実施されるようになっている。
【００３４】
次に操作部８の電源スイッチのＯＮ／ＯＦＦか？（Ｓ１１４）の判断において、リモコンまたは手動スイッチでＯＮした場合は現在の年、月、日、時間の月齢の値のデータに対応した設定の各色の照明灯の選択と消費電力の自動設定または手動設定の条件で設定されている各色の照明灯と消費電力で照明灯が点灯（Ｓ１１５）するようになっている。そして、表示装置（モニタ）７には現在の月の様子と月の名称と月齢の値を表示し、例えば１月で天気は晴れ、月齢は０の新月の場合は「今日は新月です。今夜は晴れなので放射冷却現象で夜は冷え込むでしょう！月齢はゼロです。」等のアナウンスを表示装置（スピーカ）９から音声として出力（Ｓ１１６）をするようになっている。
【００３５】
次に図９の気象設定付の制御のフローチャート図について説明する。始めに気象設定付の制御について説明する。月齢に対応している照明灯の各種設定による照明の光りの制御に天気の晴れ、曇り、雨、雪等の気象の設定を入れることにより、前記照明の光りを基準にして設定されている各照明灯の照度を消費電力の設定にバイアス量の幅を持たせて照明の光りの雰囲気を変えられるようになっている。例えば前記バイアス量の幅を天気の晴れ、曇り、雨、雪において各照明灯の消費電力の設定が±３０％で設定ができるとしていた場合は、月齢における各照明灯の消費電力の設定に対して、バイアス設定を何もしていない場合は±０％の設定変更になり、バイアス設定を±３０の幅の中で天気の晴れ、曇り、雨、雪の各々で設定を実施したならば、気象データの前記天気の晴れ、曇り、雨、雪の各々の受信データにより月齢データで設定されている各照明灯の消費電力を基準にして、前記受信データの気象データの天気に従って消費電力±３０のバイアス設定した幅で自動で増減することにより照射光の色及び照度が変わることによる雰囲気を変更することを可能としている。
【００３６】
例えば、今日は２００４年８月２日であった場合、月齢は１５．２であって満月である。この月齢の１５．２に対して各照明灯の選択は白色、緑色、青色はＯＮ、赤色、黄色はＯＦＦで、消費電力の設定が白色は１００％、緑色は２０％、青色は４０％と設定されている場合に、バイアス設定を晴れはすべて±０％、曇りは緑色＋１０％と青色−１５％、雨は緑色＋２０％と青色−３０％としていた場合に、２００４年の８月２日の気象データが曇りだった場合は照明灯の消費電力が白色は１００％、緑色は３０％、青色は２５％の照明の光りとなり天気によっては雰囲気の変更が自動で変えられるようになっている。
【００３７】
次に図９のフローチャート図を用いて説明する。電源供給元にコンセント等で電源部１０に電源を供給するようにしたならば、照明ユニット１の内部に装備されている照明灯（白色）１３、照明灯（赤色）１４、照明灯（青色）１５、照明灯（緑色）、照明灯（黄色）１７の各照明灯は点灯しないが、制御ユニット５内部では制御部１１、記憶部１２、無線装置１８では動作を開始しシステムの初期化を実施し初期設定（Ｓ２０１）を実施するようになっている。そして、表示装置（モニタ）７、表示装置（スピーカ）９、操作部８が使用できるようになる。そして、表示装置（モニタ）７と操作部８を操作することによって各照明灯に関する各種設定ができるようになる。
【００３８】
装備として無線受信装置を装備しているか？（Ｓ２０２）を自動で判断し、次に年、月、日、時間の設定を自動または手動か？（Ｓ２０３）の判断を選択するようになっている。受信アンテナ６と受信装置１８を装備している場合は自動で年、月、日、時間のデータの設定（Ｓ２０４）を年、月、日、時間のデータを電波によって受信した場合は記憶部１２のＲＡＭ等に記憶することができるようになっている。前記電波を用いない場合は手動で年、月、日、時間のデータを設定（Ｓ２０５）するようになっている。そして、年、月、日、時間の設定が完了したならばタイマーとなり時間を刻むように動作を開始（Ｓ２０６）するようになっている。そして、気象のデータの受信が開始（Ｓ２０７）するようになっている。前記双方のどちらかの手段で年、月、日、時間の設定が完了したならば、１月から１２月までの年間を通じての月齢に対応した各色の照明灯の選択・消費電力等の設定をＣＰＵに任せる自動設定または使用者本人が任意に設定ができる手動設定か？（Ｓ２０８）を使用者が選択するようになっている。使用者が自動設定を選択したならば、使用用途別に年、月、日、時間と月齢の値に対応して最適な各色の照明灯の選択と消費電力の設定が予め記憶部１２のＲＯＭ等に記憶されているので、前記記憶部１２に記憶されているデータに従って各照明灯の選択の自動設定（Ｓ２０９）と各照明灯の消費電力の自動設定（Ｓ２１０）を年、月、日、時間に基づいた月齢に対応するようになっている。前記手動設定を選択した場合は、１月から１２月までを月齢に合わせて各照明灯の選択の手動設定（Ｓ２１１）と各照明灯の消費電力の手動設定（Ｓ２１２）を任意に選択及び設定しＲＡＭ等の記憶部１２に記憶するようになっている。前記の年、月、日、時間に対応した月齢の値のデータは１００年分のデータの月齢の値または月齢の計算等で月齢の約０〜２９．５までの値を導くように予めＲＯＭ等の記憶部１２に月齢の値や月齢の値を導き出す計算式を記憶させているが、受信装置１８と受信アンテナ６を用いて電波で月齢データを受信できるようにしても良い。この他の設定として、設置している場所も選択するようにすると北は北海道から南は沖縄まで日本全国の月齢の値の誤差を補正することが可能である。年、月、日、時間と月齢における各色の照明灯の選択と消費電力の設定が完了したならばタイマーによる時間に基づく月齢の値に対応して照明灯の各種設定が記憶部１２に保持更新されるようになっている。また、この他、各照明灯の選択と消費電力の設定の簡易手段として、春、夏、秋、冬の四季の期間別における月齢の値に対応した各色の照明灯の選択と消費電力を自動設定または手動設定することも可能である。
【００３９】
前記の年、月、日、時間の設定が自動設定または手動設定によって完了したならば、後はＣＰＵの演算処理によるタイマー機能を用いて時間を更新するようになり前記の年、月、日、時間が新しく更新されるとともに月齢の値のデータも対応して更新され前記更新された月齢の値のデータに対応して照明ユニット１内部の各照明灯の選択と消費電力の設定が更新され設定に従って合成された光が照射発散するようにタイマーの年、月、日、時間の月齢の値のデータとの照合を開始（Ｓ２１３）するようになっている。そして、気象のデータに対応して天気の晴れ、曇り、雨、雪等のよる照明の光りを年、月、日、時間の月齢の値を基準値とする設定されている各照明灯の消費電力に対して予め決められているバイアス設定幅において消費電力の増減の設定値を月齢の値を基準値としてバイアス量を設定（Ｓ２１４）するようになっている。前期バイアス量の設定が無い場合は年、月、日、時間の月齢の値の基準値で動作するようになっている。常に前記の年、月、日、時間に対応する月齢の値において各色の照明灯の選択と消費電力の設定の保持更新（Ｓ２１５）が電源部１０に電源が供給されている間は実施されるようになっている。
【００４０】
次に操作部８の電源スイッチのＯＮ／ＯＦＦか？（Ｓ２１６）の判断において、リモコンまたは手動スイッチでＯＮした場合は現在の年、月、日、時間の月齢の値に対応した設定の各色の照明灯の選択と消費電力の自動設定または手動設定の条件で設定されている照明灯と消費電力とバイアス量で照明灯が点灯（Ｓ２１７）するようになっている。そして、表示装置（モニタ）７には現在の月の様子と月の名称と月齢の値を表示し、例えば５月で天気は晴れ、月齢が７．４の上弦の場合は「今日は上弦です。今夜は晴れなのですがすがしい夜となるでしょう！月齢は７．４です。」等のアナウンスを表示装置（スピーカ）９から音声として出力（Ｓ２１８）をするようになっている。
【００４１】
次に本発明の操作部８の電源スイッチをＯＮ（Ｓ１１４）または（Ｓ２１６）にした場合の表示装置（モニタ）７に出力される画面表示を図１０の月齢を示す表示画面の実施例図を用いて説明する。実施例図では月齢の周期の画面表示を８枚で図示しているが、新月から次の新月までの平均時間は約２９日半あることから前記画面表示を詳細にしても良い。表示装置（モニタ）７の画面表示には現在の月の様子とこのときの月の名称と月齢の数値を表示して使用者に教えることができるようになっている。また、操作部８の画面の設定操作より現在の照明灯の各色の照明灯の選択の設定状態、消費電力等を画面を切替えて表示できるようになっている。この他サービスとして、この日の夜に起こる夜空のイベントを受信アンテナ６と無線装置１８を用いることによって受信したイベントを例えば彗星、流星群、金星、土星等の天体等の夜空に関する情報を画面と音声を用いて出力するようにしても良い。
【図面の簡単な説明】
【００４２】
【図１】本発明の照明灯ユニットと円形照射レンズの構成を示す斜視図である。
【図２】本発明の照明灯ユニットと長方形照射レンズの構成を示す斜視図である。
【図３】本発明の図１を構成する実施例の側面透視図である。
【図４】本発明の図１を構成する実施例の正面透視図である。
【図５】本発明の図２を構成する実施例の側面透視図である。
【図６】本発明の図２を構成する実施例の正面透視図である。
【図７】本発明の制御の構成ブロック図である。
【図８】本発明の制御のフローチャート図である。
【図９】本発明の気象設定付の制御のフローチャート図である。
【図１０】本発明の月齢を示す表示画面の実施例図である。
【符号の説明】
【００４３】
１…照明灯ユニット、２…円形照射レンズ、３…長方形照射レンズ、４…色合成照射レンズ、５…制御ユニット、６…受信アンテナ、７…表示装置（モニタ）、８…操作部、９…表示装置（スピーカ）、１０…電源部、１１…制御部、１２…記憶部、１３…照明灯（白色）、１４…照明灯（赤色）、１５…照明灯（青色）、１６…照明灯（緑色）、１７…照明灯（黄色）、１８…無線装置
【図１】
2005174941.tif 000003
【図２】
2005174941.tif 000004
【図３】
2005174941.tif 000005
【図４】
2005174941.tif 000006
【図５】
2005174941.tif 000007
【図６】
2005174941.tif 000008
【図７】
2005174941.tif 000009
【図８】
2005174941.tif 000010
【図９】
2005174941.tif 000011
【図１０】
2005174941.tif 000012